(57)【要約】【課題】アドレスが設定又は変更されるネットワーク端末における現状のアドレス設定状態に影響されることなく、迅速に、ネットワークを介してネットワーク端末にアドレスを設定するアドレス設定装置、ネットワーク端末、及びアドレス設定方法を提供する。【解決手段】アドレス設定装置１は、ネットワーク端末１１ａ，１１ｂ，１１ｃに検索要求を送信し（Ｓ１０１）、検索要求を受信したネットワーク端末から送信された検索応答を受信し（Ｓ１０２ａ〜Ｓ１０２ｃ）、検索応答を送信したネットワーク端末を判別し（Ｓ１０３）、検索応答を送信したと判別されたネットワーク端末の中から選択されたネットワーク端末に対して設定予定のアドレス情報を含むアドレス設定要求を送信し（Ｓ１０４，Ｓ１０５）、アドレス設定要求を受信したネットワーク端末におけるアドレス設定結果を示すアドレス設定結果情報を含むアドレス設定応答を受信する（Ｓ１０６）。【選択図】図２
2010098640.tif 000002
【特許請求の範囲】
【請求項１】
ネットワークに接続されている１又は複数のネットワーク端末に、前記ネットワークを介して前記１又は複数のネットワーク端末を識別するためのアドレスを設定するアドレス設定装置であって、
前記ネットワークに接続するネットワーク接続手段と、
前記ネットワークを介して前記１又は複数のネットワーク端末に検索要求を送信する検索要求送信手段と、
前記１又は複数のネットワーク端末の中の前記検索要求を受信したネットワーク端末から送信された検索応答を、前記ネットワークを介して受信する検索応答受信手段と、
前記検索応答の内容に基づいて、前記検索応答を送信したネットワーク端末を判別するネットワーク端末判別手段と、
前記検索応答を送信したと判別されたネットワーク端末の中から選択されたネットワーク端末に対し前記ネットワークを介して、該選択されたネットワーク端末に設定されるべき設定予定のアドレス情報を含むアドレス設定要求を送信するアドレス設定要求送信手段と、
前記アドレス設定要求を受信したネットワーク端末におけるアドレス設定結果を示すアドレス設定結果情報を含むアドレス設定応答を、前記ネットワークを介して受信するアドレス設定応答受信手段と
を有することを特徴とするアドレス設定装置。
【請求項２】
前記検索要求送信手段による前記検索要求の送信は、ブロードキャスト送信であることを特徴とする請求項１に記載のアドレス設定装置。
【請求項３】
前記１又は複数のネットワーク端末を識別するための前記アドレスは、ＩＰアドレスを含み、
前記ネットワークを介して行われる前記検索要求送信手段、前記検索応答受信手段、前記アドレス設定要求送信手段、及び前記アドレス設定応答受信手段による送受信は、イーサネット通信によって行われる
ことを特徴とする請求項１又は２に記載のアドレス設定装置。
【請求項４】
前記ネットワーク端末判別手段は、前記ネットワークに接続されているネットワーク端末の判別に、ＭＡＣアドレスを用いることを特徴とする請求項１乃至３のいずれか１項に記載のアドレス設定装置。
【請求項５】
前記アドレス設定要求は、設定予定のＩＰアドレスと、設定予定のサブネットマスクと、設定予定のデフォルトゲートウェイと、前記ＩＰアドレスと前記サブネットマスクと前記デフォルトゲートウェイのいずれの項目が有効であるかを示すビット情報とを含むことを特徴とする請求項１乃至４のいずれか１項に記載のアドレス設定装置。
【請求項６】
前記アドレス設定応答は、設定されたＩＰアドレスと、設定されたサブネットマスクと、設定されたデフォルトゲートウェイと、前記設定されたＩＰアドレスと前記設定されたサブネットマスクと前記設定されたデフォルトゲートウェイのいずれの設定が正常に完了したかを示すビット情報とを含むことを特徴とする請求項１乃至５のいずれか１項に記載のアドレス設定装置。
【請求項７】
前記検索要求送信手段による前記検索要求の送信は、マルチキャスト送信であることを特徴とする請求項１、３乃至６のいずれか１項に記載のアドレス設定装置。
【請求項８】
アドレス設定装置からネットワークを介してアドレスが設定されるネットワーク端末であって、
前記ネットワークに接続するネットワーク接続手段と、
前記アドレス設定装置から前記ネットワークを介して検索要求を受信する検索要求受信手段と、
前記検索要求の送信元であるアドレス設定装置に対し前記ネットワークを介して、前記検索要求を受信したことを示す検索応答を送信する検索応答送信手段と、
前記検索応答を受信した前記検索要求の送信元であるアドレス設定装置から前記ネットワークを介して送信された、設定予定の設定アドレス情報を含むアドレス設定要求を受信するアドレス設定要求受信手段と、
記憶手段と、
前記アドレス設定要求に従いアドレスを前記記憶手段に設定するアドレス設定手段と、
前記アドレス設定手段によるアドレス設定結果を示すアドレス設定結果情報を含むアドレス設定応答を、前記アドレス設定要求の送信元であるアドレス設定装置に前記ネットワークを介して送信するアドレス設定応答送信手段と
を有することを特徴とするネットワーク端末。
【請求項９】
前記検索要求受信手段によって受信される前記検索要求は、前記送信元であるアドレス設定装置からブロードキャスト送信された検索要求であること特徴とする請求項８に記載のネットワーク端末。
【請求項１０】
前記アドレスは、ＩＰアドレスを含み、
前記ネットワークを介して行われる前記検索要求受信手段、前記検索応答送信手段、前記アドレス設定要求受信手段、及び前記アドレス設定応答送信手段による送受信は、イーサネット通信によって行われる
ことを特徴とする請求項８又は９に記載のネットワーク端末。
【請求項１１】
前記アドレス設定手段は、前記アドレス設定要求に含まれる設定予定のＩＰアドレスと、設定予定のサブネットマスクと、設定予定のデフォルトゲートウェイと、前記ＩＰアドレスと前記サブネットマスクと前記デフォルトゲートウェイのいずれの項目が有効であるかを示すビット情報とに従い、前記記憶手段に前記ＩＰアドレス、前記サブネットマスク、及び前記デフォルトゲートウェイのいずれか又は全ての設定を行うことを特徴とする請求項８乃至１０のいずれか１項に記載のネットワーク端末。
【請求項１２】
前記アドレス設定応答は、設定されたＩＰアドレスと、設定されたサブネットマスクと、設定されたデフォルトゲートウェイと、前記設定されたＩＰアドレスと前記設定されたサブネットマスクと前記設定されたデフォルトゲートウェイのいずれの設定が正常に完了したかを示すビット情報とを含むことを特徴とする請求項８乃至１１のいずれか１項に記載のネットワーク端末。
【請求項１３】
前記検索要求受信手段によって受信される前記検索要求は、前記送信元であるアドレス設定装置からマルチキャスト送信された検索要求であること特徴とする請求項８、１０乃至１２のいずれか１項に記載のネットワーク端末。
【請求項１４】
ネットワークに接続されている１又は複数のネットワーク端末に、前記ネットワークを介して前記１又は複数のネットワーク端末を識別するためのアドレスを設定するアドレス設定装置によるアドレス設定方法であって、
前記ネットワークを介して前記１又は複数のネットワーク端末に検索要求を送信する検索要求送信ステップと、
前記１又は複数のネットワーク端末の中の前記検索要求を受信したネットワーク端末から送信された検索応答を、前記ネットワークを介して受信する検索応答受信ステップと、
前記検索応答の内容に基づいて、前記検索応答を送信したネットワーク端末を判別するネットワーク端末判別ステップと、
前記検索応答を送信したと判別されたネットワーク端末の中から選択されたネットワーク端末に対し前記ネットワークを介して、該選択されたネットワーク端末に設定されるべき設定予定のアドレス情報を含むアドレス設定要求を送信するアドレス設定要求送信ステップと、
前記アドレス設定要求を受信したネットワーク端末におけるアドレス設定結果を示すアドレス設定結果情報を含むアドレス設定応答を、前記ネットワークを介して受信するアドレス設定応答受信ステップと
を有することを特徴とするアドレス設定方法。
【請求項１５】
前記検索要求送信ステップにおける前記検索要求の送信は、ブロードキャスト送信であることを特徴とする請求項１４に記載のアドレス設定方法。
【請求項１６】
前記１又は複数のネットワーク端末を識別するための前記アドレスは、ＩＰアドレスを含み、
前記ネットワークを介して行われる前記検索要求送信ステップ、前記検索応答受信ステップ、前記アドレス設定要求送信ステップ、及び前記アドレス設定応答受信ステップによる送受信は、イーサネット通信によって行われる
ことを特徴とする請求項１４又は１５に記載のアドレス設定方法。
【請求項１７】
前記ネットワーク端末判別ステップにおける前記ネットワークに接続されているネットワーク端末の判別に、ＭＡＣアドレスを用いることを特徴とする請求項１４乃至１６のいずれか１項に記載のアドレス設定方法。
【請求項１８】
前記アドレス設定要求は、設定予定のＩＰアドレスと、設定予定のサブネットマスクと、設定予定のデフォルトゲートウェイと、前記ＩＰアドレスと前記サブネットマスクと前記デフォルトゲートウェイのいずれの項目が有効であるかを示すビット情報とを含むことを特徴とする請求項１４乃至１７のいずれか１項に記載のアドレス設定方法。
【請求項１９】
前記アドレス設定応答は、設定されたＩＰアドレスと、設定されたサブネットマスクと、設定されたデフォルトゲートウェイと、前記設定されたＩＰアドレスと前記設定されたサブネットマスクと前記設定されたデフォルトゲートウェイのいずれの設定が正常に完了したかを示すビット情報とを含むことを特徴とする請求項１４乃至１８のいずれか１項に記載のアドレス設定方法。
【請求項２０】
前記検索要求送信ステップにおける前記検索要求の送信は、マルチキャスト送信であることを特徴とする請求項１４、１６乃至１９のいずれか１項に記載のアドレス設定方法。
【請求項２１】
アドレス設定装置からネットワークを介してアドレスが設定されるネットワーク端末におけるアドレス設定方法であって、
前記アドレス設定装置から前記ネットワークを介して検索要求を受信する検索要求受信ステップと、
前記検索要求の送信元であるアドレス設定装置に対し前記ネットワークを介して、前記検索要求を受信したことを示す検索応答を送信する検索応答送信ステップと、
前記検索応答を受信した前記検索要求の送信元であるアドレス設定装置から前記ネットワークを介して送信された、設定予定の設定アドレス情報を含むアドレス設定要求を受信するアドレス設定要求受信ステップと、
前記アドレス設定要求に従いアドレスを当該ネットワーク端末の記憶手段に設定するアドレス設定ステップと、
前記アドレス設定ステップによるアドレス設定結果を示すアドレス設定結果情報を含むアドレス設定応答を、前記アドレス設定要求の送信元であるアドレス設定装置に前記ネットワークを介して送信するアドレス設定応答送信ステップと
を有することを特徴とするアドレス設定方法。
【請求項２２】
前記検索要求受信ステップにおいて受信される前記検索要求は、前記送信元であるアドレス設定装置からブロードキャスト送信された検索要求であること特徴とする請求項２１に記載のアドレス設定方法。
【請求項２３】
前記アドレスは、ＩＰアドレスを含み、
前記ネットワークを介して行われる前記検索要求受信ステップ、前記検索応答送信ステップ、前記アドレス設定要求受信ステップ、及び前記アドレス設定応答送信ステップにおける送受信は、イーサネット通信によって行われる
ことを特徴とする請求項２１又は２２に記載のアドレス設定方法。
【請求項２４】
前記アドレス設定ステップにおいて、前記アドレス設定要求に含まれる設定予定のＩＰアドレスと、設定予定のサブネットマスクと、設定予定のデフォルトゲートウェイと、前記ＩＰアドレスと前記サブネットマスクと前記デフォルトゲートウェイのいずれの項目が有効であるかを示すビット情報とに従い、前記記憶手段に前記ＩＰアドレス、前記サブネットマスク、及び前記デフォルトゲートウェイのいずれか又は全ての設定を行うことを特徴とする請求項２１乃至２３のいずれか１項に記載のアドレス設定方法。
【請求項２５】
前記アドレス設定応答は、設定されたＩＰアドレスと、設定されたサブネットマスクと、設定されたデフォルトゲートウェイと、前記設定されたＩＰアドレスと前記設定されたサブネットマスクと前記設定されたデフォルトゲートウェイのいずれの設定が正常に完了したかを示すビット情報とを含むことを特徴とする請求項２１乃至２４のいずれか１項に記載のアドレス設定方法。
【請求項２６】
前記検索要求受信ステップにおいて受信される前記検索要求は、前記送信元であるアドレス設定装置からマルチキャスト送信された検索要求であること特徴とする請求項２１、２３乃至２５のいずれか１項に記載のアドレス設定方法。
【発明の詳細な説明】
【技術分野】
【０００１】
本発明は、ネットワークを介してネットワーク端末にアドレスを設定するアドレス設定装置及びこの装置によるアドレス設定方法、並びに、ネットワークを介してアドレスが設定されるネットワーク端末及びこの端末におけるアドレス設定方法に関するものである。
【背景技術】
【０００２】
近年、ネットワーク接続機能を持つネットワーク端末、例えば、ＰＣ以外の情報家電機器など、が増加している。このような機器におけるネットワークプロトコルは、インターネットプロトコル（ＩＰ）であることが多い。ＩＰネットワークにおいては、ネットワーク端末を特定するために、ＩＰアドレスが使用される。ＩＰアドレスは、通常、端末ごとに異なる３２ビットの番号である。なお、ＩＰｖ６（Ｉｎｔｅｒｎｅｔ  Ｐｒｏｔｏｃｏｌ  ｖｅｒｓｉｏｎ  ６）においては、ＩＰアドレスは１２８ビットの番号である。ＩＰアドレスには、全世界を通じて一意のグローバルＩＰアドレスと、特定のネットワークの範囲内で一意のプライベートＩＰアドレスとがある。ネットワーク端末に設定されるＩＰアドレスは、ネットワーク端末が接続されるネットワークによって異なるので、利用者は、ネットワーク端末にＩＰアドレスを設定する必要がある。アドレス設定方法として、利用者がネットワーク端末のＧＵＩを使用して直接アドレスを入力する方法がある。しかし、この方法では、利用者は、ＩＰアドレスを設定するためにネットワーク端末の設置場所に行かなければならず、特に、ネットワーク端末が離れた場所に設置されている場合には、設定作業に時間と労力を要し、非常に不便である。
【０００３】
また、ネットワーク端末にネットワーク経由でＩＰアドレスを割り付ける手段であるＤＨＣＰ（Ｄｙｎａｍｉｃ  Ｈｏｓｔ  Ｃｏｎｆｉｇｕｒａｔｉｏｎ  Ｐｒｏｔｏｃｏｌ）を使うアドレス設定方法がある（例えば、非特許文献１参照）。この方法では、ネットワーク端末（ＤＨＣＰクライアント）がネットワーク上にＤＨＣＰサーバーが存在するかどうかの問い合わせ（ＤＨＣＰＤＩＳＣＯＶＥＲ）を行い、ＤＨＣＰサーバーがネットワーク端末に所定のＩＰアドレス案（ＤＨＣＰＯＦＦＥＲ）を送信することで、ネットワーク端末にＩＰアドレスの割り当てを行っている。
【０００４】
【非特許文献１】ＲＦＣ２１３１、“Ｄｙｎａｍｉｃ  Ｈｏｓｔ  Ｃｏｎｆｉｇｕｒａｔｉｏｎ  Ｐｒｏｔｏｃｏｌ”、  ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）、  １９９７年３月、ＵＲＬ〈ｈｔｔｐ：／／ｗｗｗ．ｉｅｔｆ．ｏｒｇ／ｒｆｃ／ｒｆｃ２１３１．ｔｘｔ〉
【発明の開示】
【発明が解決しようとする課題】
【０００５】
しかしながら、非特許文献１に示される方法においては、ネットワーク端末からＤＨＣＰサーバーに対して最初の問い合わせ（ＤＨＣＰＤＩＳＣＯＶＥＲ）を行う。このため、利用者がＤＨＣＰサーバーのＧＵＩを利用して複数のネットワーク端末に対してＩＰアドレスの設定のための操作を行う場合には、複数のネットワーク端末からＤＨＣＰサーバーに対して問い合わせ（ＤＨＣＰＤＩＳＣＯＶＥＲ）が届くまで、ＤＨＣＰサーバーはネットワーク端末を認識できないので、ＩＰアドレス設定処理が即座に開始されない（即応性に欠ける）という問題があった。
【０００６】
また、同じネットワーク中にＤＨＣＰサーバーが管理するＩＰアドレスと重複するＩＰアドレスが設定されているネットワーク端末が既に存在する場合には、ＤＨＣＰサーバーが送信したＩＰアドレス案が、他のネットワーク端末に既に設定されているＩＰアドレスと重複してしまい、ＩＰアドレス案の設定が正常に完了しないという問題がある。
【０００７】
そこで、本発明は、上記従来技術の課題を解決するためになされたものであり、その目的とするところは、ネットワークに接続されたネットワーク端末における現状のアドレス設定状態に影響されることなく、迅速にネットワークを介してネットワーク端末にアドレスを設定することができるアドレス設定装置及びこの装置によるアドレス設定方法、並びに、ネットワークを介してアドレスが設定されるネットワーク端末及びこの端末におけるアドレス設定方法を提供することにある。
【課題を解決するための手段】
【０００８】
本発明に係るアドレス設定装置は、ネットワークに接続されている１又は複数のネットワーク端末に、前記ネットワークを介して前記１又は複数のネットワーク端末を識別するためのアドレスを設定する装置であって、前記ネットワークに接続するネットワーク接続手段と、前記ネットワークを介して前記１又は複数のネットワーク端末に検索要求を送信する検索要求送信手段と、前記１又は複数のネットワーク端末の中の前記検索要求を受信したネットワーク端末から送信された検索応答を、前記ネットワークを介して受信する検索応答受信手段と、前記検索応答の内容に基づいて、前記検索応答を送信したネットワーク端末を判別するネットワーク端末判別手段と、前記検索応答を送信したと判別されたネットワーク端末の中から選択されたネットワーク端末に対し前記ネットワークを介して、該選択されたネットワーク端末に設定されるべき設定予定のアドレス情報を含むアドレス設定要求を送信するアドレス設定要求送信手段と、前記アドレス設定要求を受信したネットワーク端末におけるアドレス設定結果を示すアドレス設定結果情報を含むアドレス設定応答を、前記ネットワークを介して受信するアドレス設定応答受信手段とを有することを特徴としている。
【０００９】
また、本発明に係るネットワーク端末は、アドレス設定装置からネットワークを介してアドレスが設定されるネットワーク端末であって、前記ネットワークに接続するネットワーク接続手段と、前記アドレス設定装置から前記ネットワークを介して検索要求を受信する検索要求受信手段と、前記検索要求の送信元であるアドレス設定装置に対し前記ネットワークを介して、前記検索要求を受信したことを示す検索応答を送信する検索応答送信手段と、前記検索応答を受信した前記検索要求の送信元であるアドレス設定装置から前記ネットワークを介して送信された、設定予定の設定アドレス情報を含むアドレス設定要求を受信するアドレス設定要求受信手段と、記憶手段と、前記アドレス設定要求に従いアドレスを前記記憶手段に設定するアドレス設定手段と、前記アドレス設定手段によるアドレス設定結果を示すアドレス設定結果情報を含むアドレス設定応答を、前記アドレス設定要求の送信元であるアドレス設定装置に前記ネットワークを介して送信するアドレス設定応答送信手段とを有することを特徴としている。
【発明の効果】
【００１０】
本発明によれば、ネットワークに接続されたネットワーク端末における現状のアドレス設定状態に影響されることなく、迅速にネットワークを介してネットワーク端末にアドレスを設定することができるという効果を得ることができる。
【発明を実施するための最良の形態】
【００１１】
実施の形態１．
図１は、本発明の実施の形態１のアドレス設定装置１及びネットワーク端末１１ａ，１１ｂ，１１ｃ，…の構成を概略的に示すブロック図である。アドレス設定装置１は、ネットワーク上に接続されたネットワーク端末１１ａ，１１ｂ，１１ｃ，…（ネットワーク端末のいずれか１台を示す場合には、符号として１１を用いる。）と通信する機能を持つ。アドレス設定装置１は、例えば、アドレス設定装置１に接続された表示装置８に表示されたＧＵＩを用いて、利用者がネットワーク端末のアドレス設定を行うための装置である。
【００１２】
図１に示されるように、アドレス設定装置１は、ＣＰＵ２と、ＲＯＭ３と、ＲＡＭ４と、ＬＡＮコントローラー５と、周辺インターフェース６と、表示コントローラー７と、表示装置８と、キーボード９と、マウス１０とを、主要な構成要素としている。ただし、表示装置８が外付けのモニター装置である場合には、表示装置８は、アドレス設定装置１の構成には含まれない。
【００１３】
ネットワーク端末１１は、ネットワーク接続機能を有する端末である。ネットワーク端末１１は、例えば、ネットワーク接続機能を持つデジタルレコーダーのような情報家電機器などである。図１においては、簡略化のために、ネットワーク端末１１のネットワーク接続機能に関する部分のみを記載しているが、ネットワーク端末１１は、ネットワーク接続機能以外の構成（図示せず）をも有している。図１に示されるように、ネットワーク端末１１は、ネットワーク機能を実現するための構成要素として、ＣＰＵ１２と、ＲＯＭ１３と、ＲＡＭ１４と、ＬＡＮコントローラー１５と、不揮発記憶装置１６とを有している。図１に示されるように、実施の形態１においては、ネットワーク、例えば、ＬＡＮに、１又は複数のネットワーク端末１１が接続されている。なお、図１におけるネットワーク端末１１ａ，１１ｂ，１１ｃ，…は、ネットワーク接続機能に関しては同様の構成を有する。
【００１４】
アドレス設定装置１のＲＯＭ３は、アドレス設定装置１を制御するためのプログラムを格納する不揮発メモリなどから構成される記憶装置である。ＲＯＭ３に格納されるプログラムには、ＯＳ、各Ｈ／Ｗを制御するためのデバイスドライバ、各種機能を実現する各アプリケーションなどのプログラムが含まれる。アドレス設定装置１のＣＰＵ２は、ＲＯＭ３からプログラムを読み出して実行することでアドレス設定装置１全体を制御するプロセッサである。アドレス設定装置１のＲＡＭ４は、ランダムに読み書き可能なメモリから構成される。ＲＡＭ４は、ＣＰＵ２が処理を実行する際のワーク領域などに使用される。
【００１５】
アドレス設定装置１のＬＡＮコントローラー５は、アドレス設定装置１をＬＡＮ（Ｌｏｃａｌ  Ａｒｅａ  Ｎｅｔｗｏｒｋ）に接続してネットワーク端末１１ａ，１１ｂ，１１ｃ，…と通信を行うためのネットワーク接続手段として機能する回路である。
【００１６】
アドレス設定装置１の表示コントローラー７は、表示装置８に画面を描画するためのコントローラーである。表示装置８は、液晶ディスプレイなど、文字や映像を表示するためのモニター装置である。表示装置８は、アドレス設定装置１の内蔵モニター装置又は外部モニター装置である。
【００１７】
アドレス設定装置１の周辺インターフェース６は、アドレス設定装置１にキーボード９やマウス１０などのインプットデバイスを接続するためのインターフェースである。キーボード９及びマウス１０は、利用者が表示装置８に表示されたＧＵＩを介してアドレス設定装置１を操作するための機器である。
【００１８】
アドレス設定装置１は、ネットワークに接続されている１又は複数のネットワーク端末１１に、ネットワークを介して１又は複数のネットワーク端末を識別するためのアドレス、例えば、ＩＰアドレスを設定する。ＣＰＵ２は、ＲＯＭ３に格納されたプログラムを実行することにより、ネットワークを介して１又は複数のネットワーク端末１１ａ，１１ｂ，１１ｃ，…に検索要求を送信する検索要求送信手段としての機能と、１又は複数のネットワーク端末１１ａ，１１ｂ，１１ｃ，…の中の検索要求を受信したネットワーク端末１１ａ，１１ｂ，１１ｃ，…から送信された検索応答を、ネットワークを介して受信する検索応答受信手段としての機能とを実現している。また、ＣＰＵ２は、ＲＯＭ３に格納されたプログラムを実行することにより、検索応答の内容に基づいて、検索応答を送信したネットワーク端末１１ａ，１１ｂ，１１ｃ，…を判別するネットワーク端末判別手段としての機能と、検索応答を送信したと判別されたネットワーク端末１１ａ，１１ｂ，１１ｃ，…の中から選択されたネットワーク端末に対しネットワークを介して、該選択されたネットワーク端末に設定されるべき設定予定のアドレス情報を含むアドレス設定要求を送信するアドレス設定要求送信手段としての機能と、アドレス設定要求を受信したネットワーク端末におけるアドレス設定結果を示すアドレス設定結果情報を含むアドレス設定応答を、ネットワークを介して受信するアドレス設定応答受信手段としての機能とを実現している。
【００１９】
ネットワーク端末１１のＲＯＭ１３は、ネットワーク端末１１を制御するためのプログラムを格納する不揮発メモリなどから構成される記憶装置である。ＲＯＭ１３に格納されるプログラムには、ＯＳ、各Ｈ／Ｗを制御するためのデバイスドライバ、各種機能を実現する各アプリケーションなどのプログラムが含まれる。ネットワーク端末１１のＣＰＵ１２は、ＲＯＭ１３からプログラムを読み出して実行することでネットワーク端末１１全体を制御するプロセッサである。ネットワーク端末１１のＲＡＭ１４は、ランダムに読み書き可能なメモリから構成される。ＲＡＭ１４は、ＣＰＵ１２が処理を実行する際のワーク領域などに使用される。
【００２０】
ネットワーク端末１１のＬＡＮコントローラー１５は、アドレス設定装置１をＬＡＮに接続してネットワーク端末と通信を行うためのネットワーク接続手段として機能する回路である。ネットワーク端末１１の不揮発記憶装置１６は、読み書き可能で、かつネットワーク端末１１の電源を完全に遮断した場合でも、データを保持している記憶装置である。不揮発記憶装置１６としては、例えば、Ｆｌａｓｈ  ＲＯＭやＥＥＰＲＯＭなどの不揮発メモリデバイス、バックアップ電源を有するスタティックＲＡＭデバイスなどのメモリデバイス、又は、ＨＤＤ（Ｈａｒｄ  Ｄｉｓｋ  Ｄｒｉｖｅ）などの磁気記憶装置を用いることができる。ネットワーク端末１１は、設定されたＩＰアドレスなどのネットワークデータを、不揮発記憶装置１６に格納する。
【００２１】
ネットワーク端末１１は、アドレス設定装置１からネットワークを介してアドレスが設定される端末である。ＣＰＵ１２は、ＲＯＭ１３に格納されたプログラムを実行することにより、上記アドレス設定装置１からネットワークを介して検索要求を受信する検索要求受信手段としての機能と、検索要求の送信元であるアドレス設定装置に対しネットワークを介して、検索要求を受信したことを示す検索応答を送信する検索応答送信手段としての機能とを実現している。また、ＣＰＵ１２は、ＲＯＭ１３に格納されたプログラムを実行することにより、検索応答を受信した検索要求の送信元であるアドレス設定装置１からネットワークを介して送信された、設定予定の設定アドレス情報を含むアドレス設定要求を受信するアドレス設定要求受信手段としての機能と、アドレス設定要求に従いアドレスを不揮発記憶装置１６に設定するアドレス設定手段としての機能と、アドレス設定手段によるアドレス設定結果を示すアドレス設定結果情報を含むアドレス設定応答を、アドレス設定要求の送信元であるアドレス設定装置１にネットワークを介して送信するアドレス設定応答送信手段としての機能とを実現している。
【００２２】
次に、ネットワークを介してネットワーク端末１１（１１ａ，１１ｂ，１１ｃ）にアドレスを設定するアドレス設定装置１の動作（すなわち、アドレス設定装置１によるアドレス設定方法）、並びに、ネットワークを介してアドレスが設定されるネットワーク端末１１の動作（すなわち、ネットワーク端末１１におけるアドレス設定方法）を説明する。なお、以下の例においては、ＬＡＮとしてイーサネット（Ｅｔｈｅｒｎｅｔ（登録商標））を用いる場合を説明する。
【００２３】
図２は、実施の形態１のアドレス設定装置１及びネットワーク端末１１ａ，１１ｂ，１１ｃの動作を示すシーケンス図である。図２に示されるように、利用者は、アドレス設定装置１の表示装置８に表示された設定画面を見ながら、検索開始操作を行う（ステップＳ１００）。図３は、表示装置８に表示された検索開始操作画面の一例を示す図である。検索開始操作は、例えば、図３に示した検索開始操作画面において、マウス１０を用いて開始ボタンをクリックするなどの方法で行う。検索開始操作の結果、アドレス設定装置１は、ＬＡＮコントローラー５を介して、ＬＡＮに対して検索要求を送信する（ステップＳ１０１）。なお、アドレス設定装置１からＬＡＮへのデータ送信は、ＬＡＮコントローラー５を介して行われるが、以降の説明においては、「ＬＡＮコントローラー５を介して」という記述を省略する。実施の形態１においては、アドレス設定装置１は、検索要求を、例えば、イーサネットのブロードキャストとして送信する。
【００２４】
図４は、アドレス設定装置１が検索要求を送信する際のパケットのフレーム構成を示す図である。図４における括弧内の数字は、各フィールドのサイズをバイト単位で示したものである。図４における「プリアンブル」は、フレームの受信時に同期を取るためのフィールドである。図４における「送信先アドレス」は、このフレームを送信する先のネットワーク端末のＭＡＣアドレスであり、ネットワーク端末ごとに固有な４８ビットの値である。実施の形態１においては、検索要求がブロードキャストであるため、送信先アドレスとして、全てのビットを１に設定する。すなわち、送信先アドレスとして“ＦＦＦＦＦＦＦＦＦＦＦＦ（ｈ）”を設定する。なお、“…（ｈ）”は、１６進数表記を示す。また、図４における「送信元アドレス」は、アドレス設定装置１自身のＭＡＣアドレスである。また、図４における「イーサタイプ」は、このフレームを使用している上位のプロトコルの種類を示す値である。実施の形態１においては、他のプロトコルと区別するために、他のプロトコルに割り当てられていない値を設定する。ここでは、イーサタイプとしては、“Ａ０００（ｈ）”を用いる。「データフィールド」は、フレームの用途ごとに異なるが、検索要求の場合は、図４に示されるように、要求タイプと要求シーケンス番号の２つのフィールドから構成される。図４における「要求タイプ」は、このフレームが検索要求であるのか後述のアドレス設定要求であるのかを区別するための値である。この例においては、要求タイプが“００００（ｈ）”の場合は検索要求であり、“０００１（ｈ）”の場合はアドレス設定要求である。すなわち、検索要求の際は、このフィールドに“００００（ｈ）”を設定する。また、図４における「要求シーケンス番号」は、送信するごとに異なる番号が設定される。この例においては、要求シーケンス番号として、最初の送信においては０を設定し、送信するたびに１ずつインクリメントされた値を設定する。「ＦＣＳ（Ｆｒａｍｅ  Ｃｈｅｃｋ  Ｓｅｑｕｅｎｃｅ）」は、受信側が、受信したフレームに誤りがないかどうかを検出するためのフィールドである。
【００２５】
ブロードキャストで送信された検索要求を受信したネットワーク端末１１は、受信したフレームの内容を解析して、イーサタイプが“Ａ０００（ｈ）”であり、かつ、要求タイプが“００００（ｈ）”であることを検出した場合、このフレームが検索要求であると判断して、検索応答を、ＬＡＮコントローラー１５を介してアドレス設定装置１に対して送信する（図２のステップＳ１０２ａ，Ｓ１０２ｂ，Ｓ１０２ｃ）。図２においては、３台のネットワーク端末１１ａ，１１ｂ，１１ｃが存在する例を示しているが、ネットワーク端末の台数は３台に限定されない。なお、ネットワーク端末１１からＬＡＮに対してデータ送信する場合、ＬＡＮコントローラー１５を介して行うが、以降の説明においては、「ＬＡＮコントローラー１５を介して」という記述を省略する。この際の検索応答は、イーサネットのユニキャストとして送信する。
【００２６】
図５は、ネットワーク端末１１が検索応答を送信する際のパケットのフレーム構成を示す図である。図５におけるプリアンブル、送信先アドレス、送信元アドレス、イーサタイプ、ＦＣＳの各フィールドの用途は、検索要求の際のフレームと同じである。図５の「送信先アドレス」には、アドレス設定装置１のＭＡＣアドレスを設定するが、この値としては、検索要求のフレームに設定されていた送信元アドレスと同一の値を設定する。図５の「送信元アドレス」には、ネットワーク端末１１自身のＭＡＣアドレスを設定する。このためネットワーク端末１１ａ、ネットワーク端末１１ｂ、ネットワーク端末１１ｃは、送信元アドレスとして、それぞれ異なる値を設定する。図５の「イーサタイプ」は、“Ａ０００（ｈ）”を設定する。図５の「応答タイプ」は、このフレームが検索要求に対する検索応答であるのか後述のアドレス設定要求に対するアドレス設定応答であるのかを区別するための値であり、かつ要求か応答かを区別するために、各要求の値に対して最上位ビットに１を設定した値とする。すなわち、検索要求“００００（ｈ）”に対して検索応答“８０００（ｈ）”であり、アドレス設定要求“０００１（ｈ）”に対してアドレス設定応答“８００１（ｈ）”となる。以上のルールに従い、図２のステップＳ１０２ａ、Ｓ１０２ｂ、Ｓ１０２ｃで送信する検索応答においては、このフィールドに“８０００（ｈ）”を設定する。図５の「要求シーケンス番号」としては、検索要求フレームに設定されていた値と同一の値を設定する。また、ＩＰアドレスフィールド、サブネットマスクフィールド、デフォルトゲートウェイフィールドには、それぞれ現時点でネットワーク端末１１の不揮発記憶装置１６の所定の領域に格納されているＩＰアドレス、サブネットマスク、デフォルトゲートウェイの設定値を設定する。この時点では、例えば、工場出荷時のままの無効な値が入っている可能性がある。
【００２７】
アドレス設定装置１は、検索応答を受信したら受信した検索応答の結果を、表示装置８に表示する（図２のステップＳ１０３）。図６は、アドレス設定装置１が受信した検索応答に基づく検索結果表示画面の一例を示す図である。図６は、ネットワーク端末１１ａ、ネットワーク端末１１ｂ、ネットワーク端末１１ｃの３台から検索応答を受信した場合を示している。アドレス設定装置１は、受信したフレームを解析して、イーサタイプが“Ａ０００（ｈ）”で、かつ、応答タイプが“８０００（ｈ）”であることを検出した場合、このフレームが検索応答であると判断して、フレームの送信元アドレスフィールドと、ＩＰアドレスフィールド、サブネットマスクフィールド、デフォルトゲートウェイフィールドの値を取り出してリスト化する。この際に、ＣＰＵ２は、要求シーケンス番号フィールドの値が先に自身が送信した検索要求フレームにおける要求シーケンス番号と同一であることを確認する。図６の例においては、検索したネットワーク端末１１のリストを、ＭＡＣアドレスをキーとして表示している。また、この例においては、全てのネットワーク端末１１に無効なＩＰアドレス「０：０：０：０」が設定されている場合を示している。なお、アドレス設定装置１は、ＬＡＮ上に何台のネットワーク端末が存在しているか予め知っているわけではないので、いつの時点で最後の検索応答が帰ってくるか予期し得ない。このため、適当なタイムアウト時間を設けて、時間内に検索応答を返してきたネットワーク端末のみをリスト化の対象にして、差し支えない。
【００２８】
利用者は、表示装置８に表示された検索結果を見て、ネットワーク端末を選択して、選択されたネットワーク端末に対するＩＰアドレスの設定操作を行う（図２のステップＳ１０４）。図７は、図６のネットワーク端末リストから所望のネットワーク端末を選択することで表示されるアドレス設定操作画面の一例を示す図である。ＩＰアドレスの設定操作は、例えば、図６のネットワーク端末リストから所望のネットワーク端末を選択することで表示される図７に示したアドレス設定操作画面を用いて、キーボード９によりＩＰアドレス、サブネットマスク、デフォルトゲートウェイを入力した後に、設定画面をマウス１０でクリックするなどの方法で行う。図７に示される例においては、ＭＡＣアドレスが“Ａ０１２５５３Ｂ１２１５（ｈ）”のネットワーク端末１１ａに対して、ＩＰアドレスとして「１９２．１６８．１０．５」を、サブネットマスクとして「２５５．２５５．２５５．０」を、デフォルトゲートウェイとして「１９２．１６８．１０．１００」を設定する場合を示している。アドレス設定装置１は、ネットワーク端末１１ａに対してアドレス設定要求を送信する（図２のステップＳ１０５）。この際のアドレス設定要求は、イーサネットのユニキャストとして送信する。
【００２９】
図８は、アドレス設定要求を送信する際のパケットのフレーム構成を示す図である。図８におけるプリアンブル、送信先アドレス、送信元アドレス、イーサタイプ、ＦＣＳの各フィールドの用途は、図４に示したフレームと同じである。図８の「要求タイプフィールド」には、このフレームがアドレス設定要求であることを示す“０００１（ｈ）”を設定する。「設定ＩＰアドレスフィールド」、「設定サブネットマスクフィールド」、「設定デフォルトゲートウェイフィールド」は、それぞれ設定したいＩＰアドレス、サブネットマスク、デフォルトゲートウェイの値を設定する。図８に示されるように、例えば、「設定ＩＰアドレスフィールド」に“Ｃ０Ａ８０Ａ０５（ｈ）”（＝１９２．１６８．１０．５）、「設定サブネットマスクフィールド」に“ＦＦＦＦＦＦ００（ｈ）”（＝２５５．２５５．２５５．０）、「設定デフォルトゲートウェイフィールド」に“Ｃ０Ａ８０Ａ６４（ｈ）”（＝１９２．１６８．１０．１００）を設定する。また、図８に示されるように、例えば、「設定フィールドビットフィールド」には、設定ＩＰアドレスフィールド、設定サブネットマスクフィールド、設定デフォルトゲートウェイフィールドのいずれが有効であるかを示すビットフラグを設定する。図９は、図８に示される設定フィールドビットの構成を示す図である。図９においては、ｂｉｔ０にＩＰアドレス、ｂｉｔ１にサブネットマスク、ｂｉｔ２にデフォルトゲートウェイを割り当てている。該当のビットに１が設定されている場合に、そのビットが示す設定データが有効であり、０が設定されている場合には、無効であることを意味する。設定ＩＰアドレス、設定サブネットマスク、設定デフォルトゲートウェイの全てが有効の場合、設定フィールドビットの値は、“０００００００７（ｈ）”となる。
【００３０】
アドレス設定要求を受信したネットワーク端末１１（例えば、１１ａ）は、受信したフレームの内容を解析して、イーサタイプが“Ａ０００（ｈ）”であり、かつ、要求タイプが“０００１（ｈ）”であることを検出した場合、このフレームがアドレス設定要求であると判断して、設定フィールドビットフィールドの値をチェックする。この結果、設定ＩＰアドレスフィールド、設定サブネットマスクフィールド、設定デフォルトゲートウェイフィールドの内で有効な値を取り出して、不揮発記憶装置１６に格納した上で、自身のＩＰアドレス、サブネットマスク、デフォルトゲートウェイの設定値をアドレス設定要求フレームから取得した値に更新する。その後、アドレス設定要求を受信したネットワーク端末１１ａは、アドレス設定応答をアドレス設定装置１に対して送信する（図２のステップＳ１０６）。この際のアドレス設定応答は、イーサネットのユニキャストとして送信する。図１０は、アドレス設定応答を送信する際のパケットのフレーム構成を示す図である。図１０におけるプリアンブル、送信先アドレス、送信元アドレス、イーサタイプ、ＦＣＳの各フィールドの用途は、図５のフレームと同じである。図１０の「イーサタイプ」には、“Ａ０００（ｈ）”を設定する。図１０の「応答タイプ」には、アドレス設定要求に対するアドレス設定応答であることを示す“８００１（ｈ）”を設定する。図１０の「要求シーケンス番号」は、アドレス設定要求フレームの要求シーケンス番号フィールドに設定されていた値と同一の値を設定する。図１０の「設定結果フィールドビット」は、設定が正常に行われたかどうかを示すビットフラグである。図１１は、設定結果フィールドビットの構成を示す図である。図１１の例においては、ｂｉｔ０にＩＰアドレス、ｂｉｔ１にサブネットマスク、ｂｉｔ２にデフォルトゲートウェイを割り当てている。該当のビットに１が設定されている場合は、そのビットが示す設定データが正常に設定されたことを示し、０が設定されている場合は、もともと設定要求がされていなかったか、何らかの理由で設定が正常に行われなかったことを意味する。ＩＰアドレス、サブネットマスク、デフォルトゲートウェイの全てが正常に設定された場合、設定結果フィールドビットの値は、“０００００００７（ｈ）”となる。
【００３１】
アドレス設定装置１は、アドレス設定応答を受信したならば、その結果を、表示装置８に表示する（図２のステップＳ１０７）。図１２は、アドレス設定応答を受信したアドレス設定装置１によるアドレス設定結果の表示画面の一例を示す図である。図１２は、設定が正常に完了した場合を示している。アドレス設定装置１は、受信したフレームを解析して、イーサタイプが“Ａ０００（ｈ）”で、かつ応答タイプが“８００１（ｈ）”であることを検出した場合、このフレームがアドレス設定応答であると判断する。この際に要求シーケンス番号フィールドの値が先に自身が送信したアドレス設定要求フレームにおける要求シーケンス番号と同一であることを確認する。要求シーケンス番号が一致した場合、設定結果フィールドビットをチェックして、自身がアドレス設定要求において設定を試みた項目の全てのビットが１の場合は、正常に設定完了したと判断して、図１２に示すような正常終了メッセージを表示する。要求シーケンス番号が一致しなかった場合や、設定結果フィールドビットチェックの結果が自身のアドレス設定要求と合わない場合は、設定が正常に完了しなかったと判断して、異常終了のメッセージを表示する。図１３は、アドレス設定応答を受信したアドレス設定装置１によるアドレス設定結果の表示画面の一例を示す図である。なお、図１２のメッセージを表示した後、利用者がマウス１０で閉じるボタンをクリックすることで、図１４に示すようにネットワーク端末リストを更新して表示するように構成しても良い。ネットワーク端末１１ｂ及びネットワーク端末１１ｃに対しての設定は、図２に示されるステップＳ１０４からステップＳ１０７までの処理を繰り返し行うことで実現できる。
【００３２】
以上に説明したように、実施の形態１によるアドレス設定装置１及びこの装置によるアドレス設定方法、並びに、ネットワーク端末１１及びこの端末におけるアドレス設定方法においては、アドレス設定装置１がＩＰアドレスを使用しない通信方式を用いてネットワーク端末１１を検出して、アドレスの設定を行うように構成したため、ＩＰアドレスが設定されていないネットワーク端末や、他のネットワーク端末と重複するＩＰアドレスが既に設定がされているネットワーク端末に対するＩＰアドレスの設定が可能になる。
【００３３】
また、実施の形態１によるアドレス設定装置１及びこの装置によるアドレス設定方法、並びに、ネットワーク端末１１及びこの端末におけるアドレス設定方法においては、アドレス設定装置１からネットワーク上の全てのネットワーク端末に検索要求を行うように構成したので、ＩＰアドレスの設定を即座に行うことができる。
【００３４】
実施の形態２．
実施の形態２によるアドレス設定装置１及びこの装置によるアドレス設定方法、並びに、ネットワーク端末１１及びこの端末におけるアドレス設定方法は、検索要求のフレームをマルチキャストで送信する点が、実施の形態１の場合と相違する。
【００３５】
図１５は、本発明の実施の形態２のアドレス設定装置及びネットワーク端末１１ａ，１１ｂ，１１ｃの動作を示すシーケンス図である。図１５において、図２の構成及びステップと同一又は対応する構成及びステップには、同じ符号を付す。また、実施の形態２の説明においては、図１をも参照する。利用者は、アドレス設定装置１の表示装置８に表示された設定画面を見て、検索開始操作を行う（図１５のステップＳ１００）。検索開始操作は、例えば、図３に示した操作画面において、マウス１０を用いて開始ボタンをクリックするなどの方法で行う。検索開始操作の結果、アドレス設定装置１は、ＬＡＮに対して検索要求を送信する（図１５のステップＳ１０１ｂ）。この際の検索要求は、イーサネットのマルチキャストとして送信する。
【００３６】
図１６は、検索要求を送信する際のパケットのフレーム構成を示す図である。図１６における括弧内の数字は、各フィールドのサイズをバイト単位で示したものである。４８ビットの送信先アドレスの上位から８ビット目のビットが０の場合、ユニキャストを示し、当該ビットが１の場合、マルチキャスト又はブロードキャストを示す。ただし、ブロードキャストは、当該ビットを含めて送信先アドレス全てのビットが１、すなわち、１６進数表記で“ＦＦＦＦＦＦＦＦＦＦＦＦ（ｈ）”の場合のみが該当する。ここでは、送信先アドレスとして、アドレス設定装置１とネットワーク端末１１ａ，１１ｂ，１１ｃ，…全てが所属するマルチキャストアドレスを予め決めておき、この値を指定する。この場合のマルチキャストアドレスとしては、割り当て済み以外の任意のアドレスを使用すれば良い。例えば、“０１００１０１０１０（ｈ）”をアドレス設定装置１とネットワーク端末１１ａ，１１ｂ，１１ｃ，…全てが所属するマルチキャストアドレスと決めた場合は、送信先アドレスにこの値を設定する。図１５におけるステップＳ１０２以降の動作は、実施の形態１の場合（図２に示されるステップＳ１０２以降の動作）と同様である。
【００３７】
以上に説明したように、実施の形態２によるアドレス設定装置１及びこの装置によるアドレス設定方法、並びに、ネットワーク端末１１及びこの端末におけるアドレス設定方法によれば、実施の形態１と同様の効果に加えて、マルチキャストアドレスのグループに所属していないネットワーク端末は、受信したフレームの解析を行う必要がなくなるため、システム全体としての処理の負荷が軽減されるという効果が得られる。
【図面の簡単な説明】
【００３８】
【図１】本発明の実施の形態１のアドレス設定装置及びネットワーク端末の構成を概略的に示すブロック図である。
【図２】実施の形態１のアドレス設定装置及びネットワーク端末の動作を示すシーケンス図である。
【図３】実施の形態１のアドレス設定装置における検索開始操作画面の一例を示す図である。
【図４】実施の形態１のアドレス設定装置が検索要求を送信する際のパケットのフレーム構成を示す図である。
【図５】実施の形態１のネットワーク端末が検索応答を送信する際のパケットのフレーム構成を示す図である。
【図６】実施の形態１のアドレス設定装置が受信した検索応答の結果に基づく検索結果表示画面の一例を示す図である。
【図７】図６のネットワーク端末リストから所望のネットワーク端末を選択することで表示されるアドレス設定操作画面の一例を示す図である。
【図８】実施の形態１のアドレス設定装置がアドレス設定要求を送信する際のパケットのフレーム構成を示す図である。
【図９】実施の形態１のアドレス設定装置が送信するアドレス設定要求フレーム中の設定フィールドビットの構成を示す図である。
【図１０】実施の形態１のネットワーク端末がアドレス設定応答を送信する際のパケットのフレーム構成を示す図である。
【図１１】実施の形態１のネットワーク端末が送信するアドレス設定応答フレーム中の設定結果フィールドビットの構成を示す図である。
【図１２】実施の形態１のアドレス設定装置がアドレス設定応答を受信したときのアドレス設定結果（設定完了）の表示画面の一例を示す図である。
【図１３】実施の形態１のアドレス設定装置がアドレス設定応答を受信したときのアドレス設定結果（異常終了）の表示画面の一例を示す図である。
【図１４】図１２のアドレス設定結果（設定完了）の表示画面の次に表示される、設定完了後のネットワーク端末リストの表示画面の一例を示す図である。
【図１５】本発明の実施の形態２のアドレス設定装置及びネットワーク端末の動作を示すシーケンス図である。
【図１６】実施の形態２のアドレス設定装置が送信する検索要求のパケットのフレーム構成を示す図である。
【符号の説明】
【００３９】
１  アドレス設定装置、  ２  ＣＰＵ、  ３  ＲＯＭ、  ４  ＲＡＭ、  ５  ＬＡＮコントローラー、  ６  周辺インターフェース、  ７  表示コントローラー、  ８  表示装置、  ９  キーボード、  １０  マウス、  １１，１１ａ，１１ｂ，１１ｃ  ネットワーク端末、  １２  ＣＰＵ、  １３  ＲＯＭ、  １４  ＲＡＭ、  １５  ＬＡＮコントローラー、  １６  不揮発記憶装置。
【図１】
2010098640.tif 000003
【図２】
2010098640.tif 000004
【図３】
2010098640.tif 000005
【図４】
2010098640.tif 000006
【図５】
2010098640.tif 000007
【図６】
2010098640.tif 000008
【図７】
2010098640.tif 000009
【図８】
2010098640.tif 000010
【図９】
2010098640.tif 000011
【図１０】
2010098640.tif 000012
【図１１】
2010098640.tif 000013
【図１２】
2010098640.tif 000014
【図１３】
2010098640.tif 000015
【図１４】
2010098640.tif 000016
【図１５】
2010098640.tif 000017
【図１６】
2010098640.tif 000018